(57)【要約】      （修正有）【課題】メッセージ等を印刷した水転写紙を用いて、植物の表面に印刷フィルムを接着させてメッセージ等を定着してなる贈答用の植物を提供する。【解決手段】パソコン、ワードプロセッサー等で作成した、オリジナルメッセージ、文字、数字、図柄等を作成し水転写紙図の印刷フィルムに印刷する。その後フィルムラベルのフィルム６に貼付された接着剤を印刷フィルムに貼付けて、植物の表面にメッセージ等の大きさに合わせて切り抜き、フィルム６を取り除き、印刷フィルムを植物の表面上に接着させ、台紙に水分を含ませた布や紙などを押し当てて水分を含ませて塗布された水溶性の接着剤を融解させ、台紙から浮き上がらせて取り除く。自然乾燥し植物表面に定着すればプリントが完成する。【選択図】図３
0003149020.tif 000002
【実用新案登録請求の範囲】
【請求項１】
水転写紙を用いて、植物の花弁、ガク、葉、茎などに感謝、御祝、激励のメッセージ、文字、数字、ロゴマーク、図柄等をプリントしたことを特徴とする植物を提供する。
【請求項２】
請求項１に記載の植物は胡蝶蘭（科属名、ラン科ファレノプシス属）であって、花弁、ガク、葉、茎、植木鉢に水転写紙を用いて感謝、御祝、激励のメッセージ、文字、数字、ロゴマーク、図柄等をプリントしたことを特徴とする植物。
【請求項３】
請求項１に記載の植物は（科属名、ラン科デンドロビウム属）であって、花弁、ガク、葉、茎、植木鉢に水転写紙を用いて感謝、御祝、激励のメッセージ、文字、数字、ロゴマーク、図柄等をプリントしたことを特徴とする植物。
【請求項４】
請求項１に記載の植物は、ドライフラワー、プリザーブドフラワー（植物の花を薬品等を用いて水分調整した花。または特殊加工した花。）であって、花弁、ガク、葉、茎、器に水転写紙を用いて感謝、御祝、激励のメッセージ、文字、数字、ロゴマーク、図柄等をプリントしたことを特徴とする植物。
【請求項５】
請求項１に記載の植物は、葉の形・色彩・全体の葉姿などを鑑賞する植物であって、葉、茎、鉢に水転写紙を用いて感謝、御祝、激励のメッセージ、文字、数字、ロゴマーク、図柄等をプリントしたことを特徴とする植物。
【考案の詳細な説明】
【技術分野】
【０００１】  本考案は、自ら自宅で植物に、一般的に購入できる電化機器類と水転写紙を工夫して用い、独自に考えデザインした御祝メッセージ、文字、数字、ロゴマーク、図柄等のプリント作業を低コストで実施、提供するためのメッセージ性を高めた植物に関するものである。
【背景技術】
【０００２】  従来、贈りものとして植物を贈るときに一緒に添える感謝、御祝、お礼、激励のメッセージは、カードや木札などに記入するのが一般的であり、植物の花弁、葉、茎に文字、数字、図柄等をプリントきる技術は少ない。文献の技術情報によると切花には、専用インクジェットプリンターを使用して花弁に印刷する技術がある。
別途、植木鉢に植えられた植物にプリントする技術には、シルク印刷技術、レーザー加工技術による文字を刻設する方法がある。しかし、これらは高度な技術で熟練者と専門設備が必要であり、独自で考えデザインしたメッセージ、文字、数字、ロゴマーク、図柄等を自宅で植物の花弁、葉、茎にプリントできる技術が工夫されていないのが現況です。【０００３】  なお、本出願人は、本出願時において、上記の技術情報が記載されている文献として、以下のものを知見している。
【特許文献１】登録実用新案第  ３１４１７９５号
【特許文献２】登録実用新案第  ３１０９９５８号
【特許文献３】特開２００８−３５８３２号
【考案の開示】
【考案が解決しようとする課題】
【０００４】  前途の文献（１）は切花専用であり、切花の花弁を花専用のインクジェットプリンターで直接メッセージ、文字、図柄をプリントするものである。鉢に植えられた植物の場合は花弁、葉、茎が一体で鉢に植えられているためプリンター印刷口には挿入し固定できない為に文字、数字、図柄を植物にプリントすることはできない。【０００５】  前途の文献（２）は植物の表面にシルク印刷で文字、図柄を印刷したフィルムを密着させてプリント作業する構成であり、デザイン面を重視し意匠性を高めたものである。このシルク印刷は専門設備の整った施設、材料と特別な技術習得が必要となり、独自に考えデザインしたメッセージ、文字、数字、ロゴマーク、図柄等のプリント作業を自ら自宅で実施できる技術ではない。【０００６】  前途の文献（３）はレーザー加工技術により文字を刻設する方法である。この技術手法は専門の設備の整った施設で特別な熟練の技術の習得が必要である。安全面においても防護服、手袋等が必要となり、メッセージ、文字、数字等の刻設作業を自ら自宅で実施できる技術ではない。【０００７】  そこで本考案は、上記の技術的状況の中で自ら自宅で、植物に一般的に操作可能な機器類と水転写紙、文具類を用いて、独自に考えデザインしたメッセージ、文字、数字、ロゴマーク、図柄等のプリント作業が低コストで実施できる植物の提供を課題とするものである。ここでの一般的に操作可能な機器類とは、インクジェットプリンター、ワードプロセッサー、及びパーソナルコンピューターである、以下パソコンと表現。
【課題を解決するための手段】
【０００８】  上記の課題を解決するために本考案に関わる、文字、ロゴマーク、図柄等をプリントした植物の構成を下記に示す。
パソコンとインクジェットプリンターまたは、ワードプロセッサー等を用いて、メッセージ、文字、数字、図柄等を作成し水転写紙の印刷フィルム３に印刷する。その後に図３のフィルムラベルのフィルム６をゆっくりめくり、図２の印刷フィルム３の上から表面を軽くこすりながら貼り合せ密着させる。次に、植物の表面にメッセージ等の大きさに合わせて切り抜き、フィルム６を取り除き、印刷フィルム３を植物の表面上に接着させ、台紙１に水分を含ませた布や紙などを押し当てて水分を含ませて塗布された水溶性の接着剤を融解させ、台紙１から浮き上がらせる。そして、台紙１を取り除き印刷フィルム３を自然乾燥させて植物表面に定着することでプリントが完成する。【０００９】  ここでの植物とは、植物の花、葉、茎、種子、ドライフラワー、プリザーブドフラワー（植物の花を薬品等を用いて水分を調整された花）を含めた花を含むものである。【００１０】  ここでのプリントとはメッセージ等を印刷した水転写紙を用いて、植物、花、葉、植木鉢の表面に印刷フィルム３を接着させ定着するまでを言う。
【考案の効果】
【００１１】  本考案により切花、鉢植の植物、両方共に花弁、葉、茎に独自に考えデザインし心をこめたオリジナルメッセージのプリント作業が自ら自宅で可能となる。また、お誕生日の日付や個人のイニシャル、ロゴマーク、図柄等が植物の花、葉にプリントできるのでこれまでに無い植物を提供することができる。お誕生日の日付や個人のイニシャルの情報は一部の人にしか知り得ないため、観賞する者にインパクトを与えメッセージ効果が高まる。また、本来植物が持つ癒し、リラックス効果、花の豪華さ美しさとが重なり相乗効果となって心に届き記憶にのこることが期待できる。前記は、植物や花が贈答品として利用される場合であるが、自ら利用する場合でも図柄、イラスト等を植物や花にプリントして飾ることで、オリジナリティ溢れる植物や花となり、インテリアとして室内空間を飾る効果が高まる。【００１２】本考案の別の効果としては、プリント作業が自ら自宅で可能となるために複数名で贈答品として植物を贈る場合に、後から追加で御祝、感謝のメッセージを記入しなければいけない時でも追加対応できる。また、少スペースで安全にかつ、カラーで文字デザイン、ロゴマークのプリント作業ができるため、花屋、生産地、様々な商業スペースでの活用が可能となる。
【考案を実施するための最良の形態】
【実施例】
【００１３】  以下、本考案を実施するための最良の形態を別紙図１、図２、図３、図４、図５を用いて詳細に説明する。図１は、植物に感謝、御祝、激励のメッセージ、文字、数字、ロゴマーク、図柄等をプリントした植物の花弁の一例である【００１４】  先ず、水転写紙の図２、図３の構成説明を行う。図２は水転写紙の断面図で、紙またはビニール製台紙１の上の層に水溶性の接着剤が塗布されている。その上に印刷フィルム３が貼着されている。図３はフィルムラベルの断面図であり、紙またはビニール製台紙４の上の層に接着剤が塗布されたフィルム６がある。
作業手順１は、始めにパソコンと文字編集ソフトウェアー、ワードプロセッサー等を用い、植物の花弁、葉、茎の大きさに合わせて御祝メッセージ、文字、数字、ロゴマーク図柄等の編集、デザイン作業を行う。【００１５】  手順２は、ワードプロセッサーの場合は、水転写紙をセットして印刷作業に移る。パソコンで編集されたメッセージ、文字、数字、図柄をインクジェットプリンター等で、水転写紙図２の印刷フィルム３に印刷する。その後に、ドライヤー等で充分乾燥させて、図３のフィルムラベルのフィルム６をゆっくりめくり、図２の印刷フィルム３の上から表面を軽くこすりながら貼り合せ密着させる。
この時に空気ができる限り入らないように注意する。この作業で図３のフィルムラベルのフィルム６に塗布された接着剤が印刷フィルム３に貼り付く。尚、パソコン及びプリンター等は一般に販売されているものを用いれば機種等は問わない。【００１６】  手順３は、上記の方法で作成した図５の水転写紙に印刷された御祝メッセージ、文字、数字、図柄から２ミリから５ミリ位の余白をとりながらハサミやカッターで切り取る。【００１７】  手順４は、図５から切り取った御祝メッセージ、文字、数字、ロゴマーク、図柄が印刷された水転写紙からフィルム６をゆっくりはがし、印刷フィルム３に印刷した面を図４の植物の花弁上に配置バランスを確認しながら置き、軽く押さえ接着させる。図５の拡大図と共に参照。【００１８】  手順５は、花弁の上に接着させた水転写紙の上から、よく水で濡らしたタオル等を押し当てて塗布された水溶性の接着剤を融解させ、台紙１を浮き上がらせて取り除く。印刷フィルム３が自然乾燥し植物の花弁表面に定着すればプリントが完成する。
【図面の簡単な説明】
【００１９】
【図１】本考案の御祝のメッセージ、文字、ロゴマーク、図柄等をプリントした植物の一例を示す花弁の拡大平面図である。
【図２】水転写紙の断面図である。
【図３】フィルムラベルの断面図である。
【図４】本考案の御祝のメッセージ、文字、ロゴマーク、図柄等をプリントした植物の一例を示す斜視図である。
【図５】御祝のメッセージを印刷した水転写紙の平面図である。
【符号の説明】
【００２０】０１  御祝のメッセージ、文字、ロゴマーク、図柄等をプリントした植物の花弁
０２  印刷フィルム３
０３  水溶性接着剤２
０４  台紙１
０５  フィルム６
０６  接着剤５
０７  台紙４
０８  御祝のメッセージ、文字、ロゴマーク、図柄等をプリントした植物
０９  鉢
【図１】
0003149020.tif 000003
【図２】
0003149020.tif 000004
【図３】
0003149020.tif 000005
【図４】
0003149020.tif 000006
【図５】
0003149020.tif 000007
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
水転写紙を用いて、植物の花びら、花弁、ガク、葉、茎、鉢に感謝、御祝、激励のメッセージ、文字、数字、ロゴマーク、図柄等をプリントしたことを特徴とする観賞用植物。
【請求項２】
前記植物は、胡蝶蘭であり（科属名ラン科、ファレノプシス属）であることを特徴とする請求項１に記載の観賞用植物。
【請求項３】
前記植物は（科属名ラン科、デンドロビウム属）であることを特徴とする請求項１に記載の観賞用植物。
【請求項４】
前記植物は、生花を自然乾燥または、機械により乾燥させたドライフラワー、または、花を薬品、薬剤等を用いて水分調整、防腐処置、特殊加工したプリザーブドフラワーであることを特徴とする請求項１に記載の観賞用植物。
【請求項５】
前記植物は、葉の形・色彩・全体の葉姿などを鑑賞する植物であって、葉、茎、鉢に水転写紙を用いて感謝、御祝、メッセージ、文字、数字、ロゴマーク、図柄等をプリントしたことを特徴とする請求項１に記載の観賞用植物。